(57)【要約】      （修正有）【課題】別途、専用の機器を用いることなく、くじ引き感覚を味わうことができて、かつ、安全な販売方法で販売可能なカプセルトイを提供する。【解決手段】外部から見えないよう商品が内包されたカプセル１２と、カプセル１２を内包できる程度の大きさの略立方体形状の上面にカプセル１２の第一取出口となる第一ミシン目１３ａが設けられ、カプセル１２を外部から見えないよう封入する箱体１３とを備えるよう構成する。また、箱体１３の内部において、矩形状のシートからなり、Ｖ字形状となるように折り目が設けられ、箱体１３の上面に向かってＶ字が開口するよう配される仕切板と、仕切板と箱体１３の下面との間に配され、仕切板に沿うように折り曲げられてなるティッシュペーパーとを備えていてもよい。【選択図】図１
0003207278.tif 000002
【実用新案登録請求の範囲】
【請求項１】
外部から見えないよう商品が内包されたカプセルと、
前記カプセルを内包できる程度の大きさの略立方体形状の上面に前記カプセルの第一取出口となる第一ミシン目が設けられ、前記カプセルを外部から見えないよう封入する箱体と、
を備えるカプセルトイ。
【請求項２】
請求項１に記載のカプセルトイであって、さらに、
前記箱体の内部において、
矩形状のシートからなり、Ｖ字形状となるように折り目が設けられ、前記箱体の上面に向かってＶ字が開口するよう配される仕切板と、
前記仕切板と前記箱体の下面との間に配され、前記仕切板に沿うように折り曲げられてなるティッシュペーパーと、
を備え、
前記カプセルが、前記仕切板と前記箱体の上面との間に配されるカプセルトイ。
【請求項３】
請求項１または請求項２に記載のカプセルトイであって、さらに、
前記箱体は、下面に、前記ティッシュペーパーを取り出すための第二取出口となる第二ミシン目が設けられることを特徴とするカプセルトイ。
【考案の詳細な説明】
【技術分野】
【０００１】
本考案は、別途、専用の機器を用いることなく、くじ引き感覚を味わうことができ、安全に販売できるカプセルトイに関する。
【背景技術】
【０００２】
従来より、子供に人気の、様々な玩具や商品を封入したプラスチック製のカプセルであるカプセルトイが知られている。カプセルトイは、ガチャガチャまたはガチャポン等と呼ばれるカプセルトイマシンに多数格納される。購入者は、硬貨投入後にカプセルトイマシンのハンドルを回すことによって内部の回転ドラムを回転させ、カプセルを開口の上部に移動させることで商品排出口に排出する。カプセルトイマシンは、デパートやスーパーマーケットの玩具売り場及び階段の踊り場等、ゲームセンター、コンビニエンスストアの店先や店内、遊園地等に多く設置される。また、最近では多数のカプセルトイマシンを設置した専用の店舗も増加している。
【０００３】
このカプセルトイマシンは、カプセル内に封入する玩具や商品の種類によらず、同じ大きさの略直方体形状となっている。このため、カプセルトイマシンは、横並びの設置に加え、上下に多段に重ねて設置することができるので、比較的狭い場所においても多くのカプセルトイマシンを設置することができる。さらに、例えば、乗り物、アクセサリー、動物、男の子向け及び女の子向けアニメキャラクター等、需要者層が異なるようカプセルトイマシン毎に異なる系統の玩具や商品を格納することで、需要者の様々なニーズに応えることができる。
【０００４】
その反面、需要者の多くが子供であることや、カプセルトイマシンを上下に多段に重ねることから、カプセルトイマシンが転倒する虞があった。
【０００５】
そこで、上下に多段に重ね設置しても安全性を確保できる技術として、例えば、特許文献１に開示されたカプセルトイマシンが知られている。この技術は、上下に重畳可能、かつ、横方向に並設可能な箱型のフレームに、カプセルトイマシンや、商品収納ボックス、商品ディスプレイ等を前方から嵌込み、固定することで、カプセルトイマシンの転倒を防ぐことができる。
【０００６】
しかしながら、特許文献１に開示された技術は、転倒を防止するフレームとフレームに対応したカプセルトイマシンを別途用意しなければならなかった。
【先行技術文献】
【特許文献】
【０００７】
【特許文献１】特許第４４４６８８５号公報
【考案の概要】
【考案が解決しようとする課題】
【０００８】
本考案は、従来のこのような問題点に鑑みてなされたものである。本考案の主な目的は、別途、専用の機器を用いることなく、くじ引き感覚を味わうことができ、安全に販売できるカプセルトイを提供することにある。
【課題を解決するための手段及び考案の効果】
【０００９】
本考案の第１の側面に係るカプセルトイによれば、外部から見えないよう商品が内包されたカプセルと、前記カプセルを内包できる程度の大きさの略立方体形状の上面に前記カプセルの第一取出口となる第一ミシン目が設けられ、前記カプセルを外部から見えないよう封入する箱体とを備えることができる。前記構成により、ユーザは購入前に、カプセル内の商品を確認することができないので、カプセルトイマシンを用いなくても、くじ引き感覚を味わうことができる。また、カプセルトイマシンを用いることなく販売できるので、カプセルトイマシンの容量によって商品の大きさが制限されることがない。さらにまた、立方体形状の箱体を備えているので、例えば、ピラミッド状に積み上げる等、商品の陳列を容易に工夫することができ、集客効果や購買意欲を高めることができる。
【００１０】
また、本考案の第２の側面に係るカプセルトイによれば、さらに、前記箱体の内部において、矩形状のシートからなり、Ｖ字形状となるように折り目が設けられ、前記箱体の上面に向かってＶ字が開口するよう配される仕切板と、前記仕切板と前記箱体の下面との間に配され、前記仕切板に沿うように折り曲げられてなるティッシュペーパーとを備え、前記カプセルが、前記仕切板と前記箱体の上面との間に配されるよう構成できる。前記構成により、カプセルを取り出した後は、仕切板を第一取出口から取り除くことで、第一取出口をティッシュペーパーの取出口とするボックスティッシュとして使用できる。
【００１１】
また、本考案の第３の側面に係るカプセルトイによれば、さらに、前記箱体は、下面に、前記ティッシュペーパーを取り出すための第二取出口となる第二ミシン目が設けられるよう構成できる。前記構成により、カプセルを取り出した後は、箱体を上下反転させることで、第二取出口をティッシュペーパーの取出口とするボックスティッシュとして使用できる。また、上下反転した仕切板は、ティッシュペーパーを支持すると共に、ティッシュペーパーの嵩上げ部材として機能するので、ティッシュペーパーの取り出しやすさや形状を最後まで保つことができる。
【図面の簡単な説明】
【００１２】
【図１】本考案を適用した実施形態１に係る箱付カプセルトイの構成図であって、図１Ａは、箱体を示す図であり、図１Ｂは、カプセルを示す図である。
【図２】カプセルに内包される商品の説明図である。
【図３】本考案を適用した実施形態２に係る箱付カプセルトイの断面図である。
【図４】本考案を適用した実施形態２に係る箱付カプセルトイの使用方法の説明図であって、図４Ａは、カプセルを取り出した状態を示す図であり、図４Ｂは、上下反転させて、第二ミシン目を切り取る途中の図であり、図４Ｃは、第二取出口からティッシュペーパーを取り出している状態を示す図である。
【考案を実施するための形態】
【００１３】
以下、本考案の実施の形態を図面に基づいて説明する。ただし、以下に示す実施の形態は、本考案の技術思想を具体化するためのカプセルトイを例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
（カプセルトイ１）
【００１４】
本考案の実施形態１に係るカプセルトイ１を図１に基づいて説明する。図１に示すように、カプセルトイ１は、複数の種類の中から任意に選択された商品１１と、商品１１を内包し、外部から商品１１が見えないよう不透過の例えば黒色で着色された商品封入用のカプセル１２と、立方体形状でカプセル１２を内包する紙製箱体１３とを備えている。これにより、カプセル１２と箱体１３とによって、外部から二重に遮蔽されるので、購入前に商品１１が不正に覗き見られることを防止できる。
（商品１１）
【００１５】
商品１１は、図２に示すように、複数の種類の商品１１の集合体である商品群の中から一つが任意に選択されて、カプセル１２に内包される。商品１１は、特に限定されず、例えば、玩具、お菓子、日用品等であってもよい。また、カプセル１２に内包できない大きさの商品１１は、引換券で代用することができる。例えば、家電製品や車との引換券をカプセル１２に入れておくことで、カプセル１２に内包できない大きさのものをカプセルトイの商品１１とすることができる。引換券は、例えばハガキにすることができる。この場合、当選者は、住所を記入し投函することで、販売者側から商品１１が配達されるようにしてもよい。さらにまた、ある商品１１だけ極端に数を減らし、商品１１の希少価値を高めてもよい。
（カプセル１２）
【００１６】
カプセル１２は、プラスチック製で、内包する商品１１が外部から見えないよう不透過の黒色で着色される。なお、カプセル１２の素材はプラスチックに限定されない。また、色も黒色に限定されず、内部が見えない構成であればよいので、例えば、不透過な色を下地として着色した後に、イラストや広告等を印刷してもよい。
（箱体１３）
【００１７】
箱体１３は立方体形状でカプセル１２を内包する紙製の箱で、上面に切り取ることでカプセル１２の第一取出口１３ｂとなる円形のミシン目が設けられる。なお、箱体１３の材質は、紙に限られない。また、箱体１３のサイズは、少なくともカプセル１２を内包できる大きさであればよく、特に限定されない。さらにまた、箱体１３にイラストや広告等を印刷してもよい。
（第一ミシン目１３ａ）
【００１８】
第一ミシン目１３ａは、箱体１３の上面に設けられた円形のミシン目である。このミシン目を切り取ることで、カプセル１２の取出口である第一取出口１３ｂとなる。なお、ミシン目の形状は、カプセル１２が取り出せる形状であればよいので、円形に限定されず、例えば、ミシン目を簡単に切り取ることができるよう指穴を設けてもよい。
（第一取出口１３ｂ）
【００１９】
第一取出口１３ｂは、カプセル１２の取出口であり、ユーザが箱体１３の上面に設けられた第一ミシン目１３ａを切り取ることで形成される。
（カプセルトイ１'：ティッシュ付き）
【００２０】
本考案の実施形態２に係るカプセルトイ１'を図３に基づいて説明する。図３に示すように、カプセルトイ１'は、カプセルトイ１の構成に加えて、箱体１３内部に、矩形状の厚紙からなり、Ｖ字形状となるように折り目が設けられ、箱体１３の上面に向かってＶ字が開口するよう配される仕切板１５と、仕切板１５と箱体１３の下面との間に配され、仕切板１５に沿うように折り曲げられてなるティッシュペーパー１４とを備えている。
【００２１】
また、カプセルトイ１'は、箱体１３の下面に、切り取ることでカプセル１２の第二取出口１３ｄとなる長方形のミシン目を備えており、カプセル１２が、仕切板１５と箱体１３の上面との間に配されている。これにより、カプセルトイ１'は、図４Ａに示すように、カプセル１２を取り出した後、図４Ｂに示すように、上下を反転させて、図４Ｃに示すように、第二ミシン目１３ｃを切り取り第二取出口１３ｄを形成することで、内包するティッシュを取り出すことができる。
（ティッシュペーパー１４）
【００２２】
ティッシュペーパー１４は、一片のティッシュペーパーが互いに折り畳まれて束の形態をなしている。ティッシュペーパー１４は、矩形状で、矩形の短辺が箱体１３の一辺と同じ長さとなっている。また、ティッシュペーパー１４は、束の状態で、仕切板１５に沿うよう長辺方向に折り曲げられ、仕切板１５と箱体１３の下面との間に配される。これによって、箱体１３を開封する前には、ティッシュペーパー１４がクッションとして機能し、箱体１３とカプセル１２とが接触した時の音によって商品１１が判別されることを防止できる。
（第二ミシン目１３ｃ）
【００２３】
第二ミシン目１３ｃは、箱体１３の下面に設けられた長方形のミシン目である。このミシン目を切り取ることで、ティッシュペーパー１４の取出口である第二取出口１３ｄとなる。なお、ミシン目の形状は、ティッシュペーパー１４が取り出せる形状であればよいので、長方形に限定されず、例えば、ミシン目を簡単に切り取ることができるよう指穴を設けてもよい。さらに、ティッシュペーパー１４にホコリが付着することを防ぐために、取出口フィルムを設けてもよい。
（第二取出口１３ｄ）
【００２４】
第二取出口１３ｄは、ティッシュペーパー１４の取出口であり、ユーザが箱体１３の下面に設けられた第二ミシン目１３ｃを切り取ることで形成される。これにより、箱体１３を上下反転することで、第二取出口１３ｄを介して、ティッシュペーパー１４を取り出すことができる。
（仕切板１５）
【００２５】
仕切板１５は、矩形状の厚紙からなり、Ｖ字形状となるように折り目が設けられ、箱体１３の上面に向かってＶ字が開口し、カプセル１２とティッシュペーパー１４とを仕切るよう箱体１３内部に配される。これにより、上下反転した仕切板１５はティッシュペーパー１４を支持、嵩上げするので、ティッシュペーパー１４の取り出しやすさや形状を最後まで保つことができる。なお、仕切板１５の材質は厚紙に限定されない。
（陳列方法）
【００２６】
カプセルトイ１及びカプセルトイ１'は、立方体形状の箱体１３を備えているので、商品棚やショーケース等に陳列し、販売することができる。例えば、複数のカプセルトイ１またはカプセルトイ１'をピラミッド状に積み上げて陳列してもよい。これにより、商品１１が来客者の注目を集めることができるので集客効果や購買意欲を高めることができる。その他に、箱体１３外側の印刷と併せて陳列を工夫することもできる。例えば、青色の箱体１３と白色の箱体１３とで富士山をかたどるように陳列してもよい。
【００２７】
また、陳列の際に、販売者に対しては、内包される商品１１が分かる状態で陳列してもよいし、分からない状態で陳列してもよい。さらに、内包する商品１１の種類毎の個数を均等にしてもよいし、逆に極端に多い商品１１や極端に少ない商品１１を設けてもよい。いずれの場合であっても、購入者は、内包する商品１１を見分けることはできないので、くじ引き感覚を損なうことはない。したがって、適宜、所望の販売形態に応じて陳列方法を変更できる。
【００２８】
以上説明したように、このカプセルトイ１によれば、別途、カプセルトイマシンを用いらなくとも、例えば、商品棚やショーケース等に、複数の異なる商品１１が封入されたカプセルトイ１をランダムに陳列することで、購入者は中の商品１１が分からず、くじ引き感覚を味わうことができる。加えて、カプセルトイマシンを使用しないことから、カプセルトイマシンの導入コストが不要となり、カプセルトイマシンの転倒による事故を防止できる。さらに、カプセルトイ１'によれば、カプセル１２を取り出した後も、おまけ的要素として、ティッシュペーパー１４を追加することで、販売促進効果を高めることができる。
【産業上の利用可能性】
【００２９】
本考案のカプセルトイは、カプセルトイマシンを用いなくても、カプセルトイマシンと同様の面白さやくじ引き感覚を提供でき、カプセルトイマシンの導入コストがかからないので、広く普及させることができる。
【符号の説明】
【００３０】
１、１'…カプセルトイ；１１…商品；１２…カプセル；１３…箱体；１３ａ…第一ミシン目；１３ｂ…第一取出口；１３ｃ…第二ミシン目；１３ｄ…第二取出口；１４…ティッシュペーパー；１５…仕切板
【図１】
0003207278.tif 000003
【図２】
0003207278.tif 000004
【図３】
0003207278.tif 000005
【図４】
0003207278.tif 000006